(57)【特許請求の範囲】
【請求項１】
浴槽及び排水箇所を備えた浴室と、潜熱回収式熱源装置とを設けて構成され、
前記浴槽と前記潜熱回収式熱源装置との間を、前記浴槽から前記潜熱回収式熱源装置に浴槽水を戻す浴槽戻管路と、加熱部で加熱された流体を、前記潜熱回収式熱源装置から前記浴槽に送る浴槽往管路とで接続して、循環ポンプの作動により、前記浴槽と前記潜熱回収式熱源装置との間で浴槽水を循環可能に構成され、
前記加熱部において発生したドレンを、ドレンポンプの作動により、前記排水箇所に排出可能に構成される浴室システムであって、
前記ドレンポンプの吐出側を、前記浴槽往管路に接続するとともに、前記浴槽往管路のドレンポンプ吐出側接続部より浴槽側で、前記浴室内の部位に、前記浴槽往管路を通流する流体を前記浴槽に供給する第１状態と、前記浴槽往管路を通流する流体を前記排水箇所に排出する第２状態とに切換自在な流路切換ユニットを設け、
前記ドレンポンプの作動状態において、前記流路切換ユニットを前記第２状態に切換え、前記浴槽往管路の一部を通して前記排水箇所にドレンを排出するドレン排出処理を実行可能に構成されている浴室システム。
【請求項２】
前記ドレン排出処理を実行した後、前記ドレンポンプ吐出側接続部より前記流路切換ユニットに到る流路に、ドレンとは異なる流体をドレンパージ水として流すドレンパージ処理を実行可能に構成されている請求項1記載の浴室システム。
【請求項３】
外部より供給される給水を前記循環ポンプに供給可能に構成され、
前記ドレンパージ処理において、前記ドレンパージ水として、前記外部より供給される給水、前記浴槽より戻る浴槽戻水、又は、それらの混合水を使用する請求項２記載の浴室システム。
【請求項４】
前記ドレンパージ処理において、前記加熱部を作動させて、前記加熱部によりドレンパージ水を加熱し、加熱された前記ドレンパージ水を前記排水箇所に排出する請求項２又は３記載の浴室システム。
【請求項５】
凍結予防用の温度検出手段を備え、前記温度検出手段により検出される温度が所定の凍結警戒温度より低い場合に、前記ドレンパージ処理を実行する請求項２又は３記載の浴室システム。
【請求項６】
前記浴槽戻管路が接続される浴槽戻側接続部と、前記浴槽往管路が接続される浴槽往側接続部と、前記浴槽戻側接続部と前記浴槽往側接続部との間を接続する熱源装置内流路に循環ポンプを備え、前記ドレンポンプより吐出されるドレンが導かれる排出管路接続部とを備えた潜熱回収式熱源装置を設け、
前記排出管路接続部と、前記浴槽往管路のドレンポンプ吐出側接続部の間を接続するドレン排出接続管路を形成可能な外部ユニットを設け、
前記外部ユニットに、
前記ドレンポンプ吐出側接続部から前記浴槽往側接続部への流体流れを抑止する浴槽往管路逆流抑止手段と、前記ドレンポンプ吐出側接続部から前記排出管路接続部への流体流れを抑止するドレン配管逆流抑止手段と、を備える請求項１〜５の何れか一項記載の浴室システム。
【請求項７】
前記外部ユニットに、前記浴槽戻管路に流体が通流する通流状態と流体が通流しない通流停止状態とに択一的に切換自在な通流切換手段が設けられている請求項６記載の浴室システム。
【請求項８】
潜熱回収熱交換器を備えた加熱部と、
一端側が浴槽に接続されて前記浴槽からの浴槽戻水を通流させる浴槽戻管路を接続する浴槽戻側接続部と、一端側が前記浴槽に接続されて前記浴槽への浴槽往水を通流させる浴槽往管路が接続される浴槽往側接続部と、前記浴槽戻水を、循環ポンプにて前記加熱部を経由して前記浴槽往側接続部に送るべく通流させる熱源装置内流路と、
前記加熱部において発生したドレンがドレンポンプより吐出される排出管路接続部とを備えた潜熱回収式熱源装置の外部に設置される外部ユニットであって、
前記排出管路接続部を、前記浴槽往管路に接続するドレン排出接続管路を形成可能で、前記浴槽往管路に於ける前記ドレン排出接続管路の接続部位であるドレンポンプ吐出側接続部から前記浴槽往側接続部への流体流れを抑止する浴槽往管路逆流抑止手段と、前記ドレンポンプ吐出側接続部から前記排出管路接続部への流体流れを抑止するドレン配管逆流抑止手段と、を備える外部ユニット。
【請求項９】
前記浴槽戻管路に流体が通流する通流状態と流体が通流しない通流停止状態とに択一的に切換自在な通流切換手段が設けられている請求項８記載の外部ユニット。
【発明の詳細な説明】
【技術分野】
【０００１】
本発明は、浴槽及び排水箇所を備えた浴室と、潜熱回収式熱源装置とを設けて構成され、前記浴槽と前記潜熱回収式熱源装置との間を、前記浴槽から前記潜熱回収式熱源装置に浴槽水を戻す浴槽戻管路と、前記加熱部で加熱された流体を、前記潜熱回収式熱源装置から前記浴槽に送る浴槽往管路とで接続して、循環ポンプの作動により、前記浴槽と前記潜熱回収式熱源装置との間で浴槽水を循環可能に構成され、前記加熱部において発生したドレンを、ドレンポンプの作動により、前記排水箇所に排出可能に構成される浴室システムに関する。さらには、この浴室システムを構成する場合に、潜熱回収式熱源装置の外部に併設する外部ユニットに関する。
【背景技術】
【０００２】
近年、熱源装置の高効率化の需要を受けて、潜熱回収熱交換器を備えた加熱部が設けられた潜熱回収式熱源装置が採用されつつある。この潜熱回収式熱源装置においては、その運転に伴って潜熱回収熱交換器から発生するドレンの処理が問題となる。
潜熱回収熱交換器から発生するドレンは、ドレンタンクに一時的に貯留し、所定のタイミングで戸外へ排出する必要がある。この排出において、例えば、ドレンタンクからドレンをユニットバスの浴室内に設置される排水箇所に導いて、その排水口からドレンを戸外に排出することが提案されている。
このように、浴槽近傍に設けられている排水箇所を利用してドレンを排出する構造に関して、従来、新築の家屋を対象とする場合と、既築の家屋を対象とする場合との夫々の場合において、異なった構造が採用されてきた。
【０００３】
新築の家屋を対象とする場合は、特許文献１に例示されるように、熱源装置に、浴槽戻管路、循環ポンプ、浴槽往管路を備えた風呂追焚系統と、この風呂追焚系統とは独立に、ドレンポンプを備えたドレン排出系統とを備えて、追焚とドレン排出処理との両方を可能とする。
この構造においては、図８に示すように、浴槽戻管路１０、浴槽往管路２０、及びドレン配管３０を備えた、所謂、トリプルチューブが採用される。新築の場合、配管スペースにトリプルチューブを新たに設置する余裕があるためである。
図８は、特許文献１に開示のシステムを追焚、ドレン排水に関してのみ注目して模式化して記載した図面であり、熱源装置１ｂには、循環ポンプＰＪ、ドレンポンプＰＤが設けられる。さらに、熱源装置１の制御装置Ｈには、ユニットバスに備えられるリモコンＲからの運転信号が入力されるように構成されている。ここで、風呂追焚系統は追焚指令の入力時に、ドレン排出系統は、例えば、ドレンタンクＤ１の満杯状態が検知された時点で、夫々、働くこととなる。
【０００４】
一方、図７に示す既築の家屋を対象とする場合、熱源装置に、浴槽戻管路、循環ポンプ、浴槽往管路を備えた風呂追焚系統が接続されるが、ドレン処理を行うためのドレン排出系統は、特許文献２に例示されるように、図９に示す如く、その配管の一部に、浴槽往管路２０を利用する。
そして、ドレン排水では、既築の家屋を対象とした場合は、循環ポンプＰＪが、ドレン排出用のポンプとしての機能を果たす。
【０００５】
図９は、特許文献２に開示のシステムを追焚、ドレン排水に関してのみ注目して模式化して記載した図面であり、熱源装置１ｃには、逆止弁Ｓ１３、３方弁Ｓ１１、循環ポンプＰＪが設けられる。一方、ユニットバスの浴室Ｙ内には３方弁ユニットＳ１２が設けられる。この３方弁ユニットＳ１２は、熱源装置１ｃの制御装置Ｈからの指令に従って動作するようになっている。
【０００６】
さらに、熱源装置１ｃの制御装置Ｈには、ユニットバスに備えられるリモコンＲからの運転信号が入力されるように構成されている。ここで、風呂追焚系統は追焚指令の入力時に、風呂追焚系統の一部を使用したドレン排出処理は、例えば、ドレンタンクＤ１の満杯状態が検知された時点で、夫々、実行されるようになっている。
【先行技術文献】
【特許文献】
【０００７】
【特許文献１】特開２００６−１３８５２７号公報
【特許文献２】特開２００９−２７０７９８号公報
【発明の概要】
【発明が解決しようとする課題】
【０００８】
上記新築の家屋を対象とする、図８に模式的に示す構造では、風呂追焚系統とドレン排出系統とが独立に設けられるため、ドレン排出処理の実行後に、図９に模式的に示す構造では必要となる風呂追焚系統側のパージが不要である。さらに、ドレン排出系統が独立に設けられているため、ユニットバスの浴室Ｙに設けられる排水箇所３５を利用するのみならず、雨樋等ユニットバスの浴室Ｙ内の排水箇所３５以外の部位へドレンを排出することが可能となる。
【０００９】
しかしながら、この新築の家屋を対象とする場合においては、熱源装置１ｂと浴槽ＹＳとの間に浴槽戻管路１０、浴槽往管路２０、及びドレン配管３０の３本の配管を必要とするものであるため、既築の家屋のように熱源装置と浴槽ＹＳとの間に浴槽戻管路１０と浴槽往管路２０との２本しか配管を備えず、配管スペースにドレン配管３０を配設する余裕がない環境においては適用できないものであった。
【００１０】
本発明は、上記課題に鑑みてなされたものであって、その目的は、設置箇所が既築の家屋である場合等、既に設置されている２本の配管の他に配管を増設できない場合であっても、新築の家屋を対象とする熱源装置の共用化を可能とすることによって機器の製造コストの低減を図ることができるものとすることにある。同時に、本願に係る浴室システムの構成にあっても、兼用できることが好ましい。
【課題を解決するための手段】
【００１１】
上記目的を達成するための本発明に係る浴室システムは、浴槽及び排水箇所を備えた浴室と、潜熱回収式熱源装置とを設けて構成され、
前記浴槽と前記潜熱回収式熱源装置との間を、前記浴槽から前記潜熱回収式熱源装置に浴槽水を戻す浴槽戻管路と、加熱部で加熱された流体を、前記潜熱回収式熱源装置から前記浴槽に送る浴槽往管路とで接続して、循環ポンプの作動により、前記浴槽と前記潜熱回収式熱源装置との間で浴槽水を循環可能に構成され、
前記加熱部において発生したドレンを、ドレンポンプの作動により、前記排水箇所に排出可能に構成されるものであって、
その第１特徴構成は、前記ドレンポンプの吐出側を、前記浴槽往管路に接続するとともに、前記浴槽往管路のドレンポンプ吐出側接続部より浴槽側で、前記浴室内の部位に、前記浴槽往管路を通流する流体を前記浴槽に供給する第１状態と、前記浴槽往管路を通流する流体を前記排水箇所に排出する第２状態とに切換自在な流路切換ユニットを設け、
前記ドレンポンプの作動状態において、前記流路切換ユニットを前記第２状態に切換え、前記浴槽往管路の一部を通して前記排水箇所にドレンを排出するドレン排出処理を実行可能に構成されている点にある。
【００１２】
この構成では、ドレンポンプの吐出側を、浴槽往管路に接続するとともに、浴槽往管路のドレンポンプ吐出側接続部より浴槽側で、浴室内の部位に、浴槽往管路を通流する流体を浴槽に供給する第１状態と、浴槽往管路を通流する流体を排水箇所に排出する第２状態とに切換自在に設けられた流路切換ユニットが、ドレンポンプの作動状態においては第２状態に切換えられて、浴槽往管路の一部を通して排水箇所にドレンを排出するドレン排出処理が実行されることになる。
つまり、ドレン排出処理においては、ドレンタンクから排出されるドレンが、浴槽往管路の一部を共用する状態で排水箇所に排出されるものであるから、設置箇所が既築の家屋である場合等、既に設置されている２本の配管の他に配管を増設できない場合であっても、上記新築の家屋を対象とする熱源装置の共用化を図ることが可能となり、機器の製造コストの低減を図ることができるものとなる。
【００１３】
要するに、本発明に係る浴室システムの第１特徴構成によれば、設置箇所が既築の家屋である場合等、既に設置されている２本の配管の他に配管を増設できない場合であっても、上記新築の家屋を対象とする熱源装置の共用化を図ることが可能となり、機器の製造コストの低減を図ることができる。
【００１４】
本発明に係る浴室システムの第２特徴構成は、上記第１特徴構成に加えて、前記ドレン排出処理を実行した後、前記ドレンポンプ吐出側接続部より前記流路切換ユニットに到る流路に、ドレンとは異なる流体をドレンパージ水として流すドレンパージ処理を実行可能に構成されている点にある。
【００１５】
すなわち、ドレン排出処理を実行した後にドレンポンプ吐出側接続部より流路切換ユニットに到る流路に、ドレンとは異なる流体をドレンパージ水として流すドレンパージ処理を実行することになるから、ドレン排出処理の実行後にドレンポンプ吐出側接続部より流路切換ユニットに到る流路に残留したドレンを、ドレンパージ水にて押し流し、該流路外に排出することができるものとなる。
【００１６】
つまり、ドレンポンプ吐出側接続部より流路切換ユニットに到る流路には、ドレン排出処理が終了した時点においてドレンが残留している虞があるが、このドレンポンプ吐出側接続部より流路切換ユニットに到る流路には、浴槽への湯張りや追焚においても湯水が通流することになるため、ドレン排出処理を実行した後にドレンが残留したままであると、その後浴槽への湯張りや追焚が実行されたときにその残留ドレンが浴槽内に流出する虞がある。そこで、ドレン排出処理を実行した後には、ドレンポンプ吐出側接続部より流路切換ユニットに到る流路にドレンとは異なる流体をドレンパージ水として流すドレンパージ処理を実行することにより、残留ドレンをドレンポンプ吐出側接続部より流路切換ユニットに到る流路内から排出し、残留ドレンが浴槽に流出しないようにすることができるものとなる。
【００１７】
要するに、本発明に係る浴室システムの第２特徴構成によれば、上記第１特徴構成による作用効果に加えて、残留ドレンをドレンポンプ吐出側接続部より流路切換ユニットに到る流路内から排出し、残留ドレンが浴槽に流出しないようにすることができるものとなる。
【００１８】
本発明に係る浴室システムの第３特徴構成は、上記第２特徴構成に加えて、外部より供給される給水を前記循環ポンプに供給可能に構成され、前記ドレンパージ処理において、前記ドレンパージ水として、前記外部より供給される給水、前記浴槽より戻る浴槽戻水、又は、それらの混合水を使用する点にある。
【００１９】
すなわち、外部より供給される給水を循環ポンプに供給可能に構成され、ドレンパージ処理時に、ドレンパージ水として、外部より供給される給水、浴槽戻水、又は、それらの混合水を使用するものであるから、給水をそのままドレンパージに使用できる他、浴槽に湯水が存在する場合には、その湯水を利用して浴槽戻水でのパージが行えるものとなり、浴槽の湯水を有効利用して省資源化に資することができるものとなる。
【００２０】
つまり、例えば浴槽に湯水が張られている状態においては、ドレンパージ水として浴槽戻水を使用できるので、これをドレンパージ水として利用し、浴槽に湯水が張られていない状態のときは、ドレンパージ水として外部より供給される給水を利用し、また、浴槽に張られている湯水の量が、ドレンパージ処理を実行するに十分でない場合等には、ドレンパージ水として外部より供給される給水と浴槽戻水との混合水を用いることにより、ドレンパージ処理を適正に実行できるものとしながら、浴槽の湯水を有効利用して省資源化に資することができるものとなる。
【００２１】
要するに、本発明に係る浴室システムの第３特徴構成によれば、上記第２特徴構成による作用効果に加えて、ドレンパージ処理を適正に実行できるものとしながら、浴槽の湯水を有効利用して省資源化に資することができるものとなる。
【００２２】
本発明に係る浴室システムの第４特徴構成は、上記第２又は第３特徴構成に加えて、前記ドレンパージ処理において、前記加熱部を作動させて、前記加熱部によりドレンパージ水を加熱し、加熱された前記ドレンパージ水を前記排水箇所に排出する点にある。
【００２３】
すなわち、ドレンパージ処理において、加熱部を作動させて、加熱部によりドレンパージ水を加熱し、加熱されたドレンパージ水を排水箇所に排出するものであるから、加熱部による加熱を伴うことなく、ドレン処理を行った場合に低温となる配管部位に関して、加熱されたドレン又はドレンパージ水を流すことで、この部位の低温化を避けることができる。また、例えば冬季等においてドレンパージ水が凍結の可能性のある温度になる虞がある場合であっても、ドレンパージ水を凍結の虞のない温度に加熱して、ドレンパージ水の凍結を防止することが可能となる。
【００２４】
要するに、本発明の浴室システムの第４特徴構成によれば、上記第１〜第３のいずれかの特徴構成による作用効果に加えて、ドレン又はドレンパージ水が流れる部位を加温しておくことが可能となる。さらに、ドレンパージ水が管路内で凍結することを抑止して適正にドレンパージ処理を実行することができる。
【００２５】
本発明に係る浴室システムの第５特徴構成は、上記第２又は第３特徴構成に加えて、凍結予防用の温度検出手段を備え、前記温度検出手段により検出される温度が所定の凍結警戒温度より低い場合に、前記ドレンパージ処理を実行する点にある。
【００２６】
すなわち、凍結予防用の温度検出手段を備え、温度検出手段により検出される温度が所定の凍結警戒温度より低い場合に、ドレンパージ処理を実行するものであるから、温度検出手段により検出される温度が所定の凍結警戒温度より低く、ドレンパージ水が凍結する虞があるような場合においては、ドレンパージ処理を実行してドレンポンプ吐出側接続部から流路切換ユニットに到る流路からドレンパージ水を排出させることが可能となり、ドレンパージ水が凍結することを防止することが可能となる。
【００２７】
要するに、本発明に係る浴室システムの第５特徴構成によれば、上記第２又は第３特徴構成による作用効果に加えて、温度検出手段により検出される温度が所定の凍結警戒温度より低く、ドレンパージ水が凍結する虞があるような場合においても、ドレンパージ水が凍結することを防止することが可能となる。
【００２８】
本発明に係る浴室システムの第６特徴構成は、上記第１〜第５のいずれかの特徴構成に加えて、前記浴槽戻管路が接続される浴槽戻側接続部と、前記浴槽往管路が接続される浴槽往側接続部と、前記浴槽戻側接続部と前記浴槽往側接続部との間を接続する熱源装置内流路に循環ポンプを備え、前記ドレンポンプより吐出されるドレンが導かれる排出管路接続部とを備えた潜熱回収式熱源装置を設け、前記排出管路接続部と、前記浴槽往管路のドレンポンプ吐出側接続部の間を接続するドレン排出接続管路を形成可能な外部ユニットを設け、
前記外部ユニットに、前記ドレンポンプ吐出側接続部から前記浴槽往側接続部への流体流れを抑止する浴槽往管路逆流抑止手段と、前記ドレンポンプ吐出側接続部から前記排出管路接続部への流体流れを抑止するドレン配管逆流抑止手段と、を備える点にある。
【００２９】
すなわち、この構成では、浴室システムを構成するに、潜熱回収式熱源装置と、この熱源装置に付属別体の外部ユニットを使用する。
そして、浴槽戻管路が接続される浴槽戻側接続部と、浴槽往管路が接続される浴槽往側接続部と、浴槽戻側接続部と浴槽往側接続部との間を接続する熱源装置内流路に循環ポンプを備え、前記ドレンポンプより吐出されるドレンが導かれる排出管路接続部とを備えた潜熱回収式熱源装置の外部排出管路接続部と、浴槽往管路のドレンポンプ吐出側接続部の間を接続するドレン排出接続管路を形成可能な外部ユニットが設けられ、その外部ユニットに設けられる浴槽往管路逆流抑止手段によってドレンポンプ吐出側接続部から浴槽往側接続部への流体流れが抑止され、ドレン配管逆流抑止手段によってドレンポンプ吐出側接続部から排出管路接続部への流体流れが抑止されることになるから、ドレン排出、ドレンパージを浴槽往管路を使用して良好に行うことができる。
さらに、このドレン排出処理の実行時においては、ドレン配管逆流抑止手段において排出管路接続部からドレンポンプ吐出側接続部への流体流れが許容されるとともに浴槽往管路逆流抑止手段によってドレンポンプ吐出側接続部から浴槽往側接続部への流体流れが抑止され、ドレンパージ処理及び湯張り又は追焚の実行時においては、浴槽往管路逆流抑止手段において浴槽往側接続部からドレンポンプ吐出側接続部への流体流れが許容されるとともにドレン配管逆流抑止手段によってドレンポンプ吐出側接続部から排出管路接続部への流体流れが抑止される。
【００３０】
したがって、ドレン排出処理の実行時にはドレンポンプ吐出側接続部から浴槽往側接続部への流体の逆流を適正に抑制し、ドレンパージ処理及び湯張り又は追焚の実行時にはドレンポンプ吐出側接続部から排出管路接続部への流体の逆流を適正抑制することができる浴室システムが提供できる。
【００３１】
要するに、本発明に係る浴室システムの第６特徴構成によれば、上記第１〜第５のいずれかの特徴構成による作用効果に加えて、ドレン排出処理の実行時にはドレンポンプ吐出側接続部から浴槽往側接続部への流体の逆流を適正に抑制し、ドレンパージ処理及び湯張り又は追焚の実行時にはドレンポンプ吐出側接続部から排出管路接続部への流体の逆流を適正抑制することができる浴室システムを、外部ユニットを設けることで提供できる。
【００３２】
本発明に係る浴室システムの第７特徴構成は、上記第６特徴構成に加えて、前記外部ユニットに、前記浴槽戻管路に流体が通流する通流状態と流体が通流しない通流停止状態とに択一的に切換自在な通流切換手段が設けられている点にある。
【００３３】
すなわち、外部ユニットに設けられる通流切換手段が、浴槽戻管路に流体が通流する通流状態と流体が通流しない通流停止状態とに択一的に切換えられるものであるから、外部より供給される給水によりドレンパージ処理を行う場合において、浴槽戻管路から浴槽に流体が流入しない状態とすることができるものとなる。
【００３４】
本発明に係る外部ユニットは、潜熱回収熱交換器を備えた加熱部と、
一端側が浴槽に接続されて前記浴槽からの浴槽戻水を通流させる浴槽戻管路を接続する浴槽戻側接続部と、一端側が前記浴槽に接続されて前記浴槽への浴槽往水を通流させる浴槽往管路が接続される浴槽往側接続部と、前記浴槽戻水を、循環ポンプにて前記加熱部を経由して前記浴槽往側接続部に送るべく通流させる熱源装置内流路と、前記加熱部において発生したドレンがドレンポンプより吐出される排出管路接続部とを備えた潜熱回収式熱源装置の外部に設置されるものであって、
その第１特徴構成は、前記排出管路接続部を前記浴槽往管路に接続するドレン排出接続管路を形成可能で、前記浴槽往管路に於ける前記ドレン排出接続管路の接続部位であるドレンポンプ吐出側接続部から前記浴槽往側接続部への流体流れを抑止する浴槽往管路逆流抑止手段と、前記ドレンポンプ吐出側接続部から前記排出管路接続部への流体流れを抑止するドレン配管逆流抑止手段と、を備える点にある。
【００３５】
すなわち、排出管路接続部を浴槽往管路に接続するドレン排出接続管路を形成可能であり、且つ、浴槽往管路に於けるドレン排出接続管路の接続部位であるドレンポンプ吐出側接続部から浴槽往側接続部への流体流れを抑止する浴槽往管路逆流抑止手段と、ドレンポンプ吐出側接続部から排出管路接続部への流体流れを抑止するドレン配管逆流抑止手段とが、潜熱回収式熱源装置の外部に設置される外部ユニットに設けられるものであるから、ドレン排出処理の実行時にはドレンポンプ吐出側接続部から浴槽往側接続部への流体の逆流を適正に抑制し、ドレンパージ処理及び湯張り又は追焚の実行時にはドレンポンプ吐出側接続部から排出管路接続部への流体の逆流を適正抑制することができる浴室システムを、外部ユニットの設置によって提供することができるものとなる。
【００３６】
本発明に係る外部ユニットの第２特徴構成は、上記第１特徴構成に加えて、
前記浴槽戻管路に流体が通流する通流状態と流体が通流しない通流停止状態とに択一的に切換自在な通流切換手段が設けられている点にある。
【００３７】
すなわち、外部より供給される給水によりドレンパージ処理を行う場合において、浴槽戻管路から浴槽に流体が流入しない状態とすることができる浴室システムを、外部ユニットの設置によって提供することができるものとなる。
【図面の簡単な説明】
【００３８】
【図１】本発明の実施形態に係る浴室システムの構成図
【図２】制御装置の構成を説明する図
【図３】各処理と各部の切換状態との関係を示す表図
【図４】ドレン関連処理のフローチャート
【図５Ａ】ドレン排出処理時の流路を示す図
【図５Ｂ】給水パージ処理時の流路を示す図
【図５Ｃ】浴槽水パージ処理時の流路を示す図
【図６】本発明の別実施形態に係る浴室システムの構成図
【図７】潜熱回収熱交換器を備えない従来の浴室システムの例を示す図
【図８】潜熱回収熱交換器を備える従来の浴室システムの第１の例を示す図
【図９】潜熱回収熱交換器を備える従来の浴室システムの第２の例を示す図
【発明を実施するための形態】
【００３９】
以下、本発明に係る浴室システム、及び、その浴室システムに用いられる外部ユニットの実施形態について、図１に基づいて説明する。
この浴室システムにおける潜熱回収式熱源装置１は、追焚や湯張りを行うための風呂追焚系統とドレン処理を行うためのドレン排出系統とを別に備える熱源装置とされ、浴室システムは、潜熱回収式熱源装置１と外部ユニットＵとを共に備えて成立する。
この浴室システムでは、浴槽往管路２０をドレン処理に利用することから、新築の家屋、既築の家屋の両方に、この浴室システムを採用できる。新築の場合は、図８に示す現行の新築の浴室システムと比較して、ドレン専用の配管が不要となる。一方、既築の場合は、図７に示す熱源装置が潜熱回収式でない浴室システムを、新築、既築の家屋で共用できる潜熱回収式熱源装置１を採用する浴室システムに更新して、浴槽往管路２０を有効に使用できる。
【００４０】
図１、図６は、共に、本発明の浴室システムを示す例であるが、このシステムは、家屋に壁面等に備えられる潜熱回収式熱源装置１及び外部ユニットＵと、浴室Ｙに備えられる浴槽ＹＳと、この浴槽ＹＳの近傍で、浴室Ｙ内に設けられる排水箇所である排水口３５との間で成立し、この排水口３５を使用して、ドレンの排水が可能なシステムとなる。従って、ドレン排水システムが構築されていると言える。
【００４１】
図１、図６等には、流路切換手段として３方弁を示している。さらに、図５（図５Ａ、、図５Ｂ、図５Ｃ）では、システムに備える３方弁に関し、白抜きはその方向の流路が開であることを示し、黒塗りはその方向の流路が閉であることを示している。
【００４２】
図１に戻って、浴室システムは、浴槽ＹＳ及び排水箇所３５を備えた浴室Ｙと、潜熱回収式熱源装置１とを設けて構成され、浴槽ＹＳと潜熱回収式熱源装置１との間を、浴槽ＹＳから潜熱回収式熱源装置１に浴槽水を戻す浴槽戻管路１０と、加熱部Ｋで加熱された流体を、潜熱回収式熱源装置１から浴槽ＹＳに送る浴槽往管路２０とで接続して、循環ポンプＰＪの作動により、浴槽ＹＳと潜熱回収式熱源装置１との間で浴槽水を循環可能に構成されている。
また、潜熱回収熱交換器Ｋ１を備える加熱部Ｋにて、加熱に伴って発生したドレンを、ドレンポンプＰＤの作動により、排水箇所３５に排出可能に構成されている。従って、この浴室システムは、ドレン処理システムともなっている。
【００４３】
ドレンポンプＰＤの吐出側は、浴槽往管路２０に接続するとともに、浴槽往管路２０のドレンポンプ吐出側接続部２３より浴槽側で、浴室Ｙ内の部位に、浴槽往管路２０を通流する流体を浴槽ＹＳに供給する第１状態と、浴槽往管路２０を通流する流体を排水箇所３５に排出する第２状態とに切換自在な流路切換ユニットＳ１を設けている。また、浴槽戻管路１０内の流体を通流状態と通流停止状態とに切換える通流切換手段Ｓ２が、浴槽戻管路１０における浴槽ＹＳと浴槽戻側接続部１０ａとの間に設けられている。
【００４４】
また、一端が上水道等の給水源に接続された給水管４０が設けられ、また、この給水管４０には、上水等の供給水を供給する状態と供給しない状態とに切換えるとともに、供給する状態における通流量を調整する給水電磁弁Ｓ３が設けられている。給水管４０の他端は、浴槽戻管路１０に接続される熱源装置内循環路戻側部分１１に接続され、外部より供給される給水を循環ポンプＰＪに供給可能に構成されている。
【００４５】
浴室システムには、潜熱回収式熱源装置１、外部ユニットＵ、及び、流路切換ユニットＳ１等を制御する制御手段としての制御装置Ｈが設けられている。この制御装置Ｈは、後述する各処理を行うべく、図２に示すように、湯張作動処理手段Ｈ０１，追焚作動処理手段Ｈ０２、凍結防止処理手段Ｈ１、ドレン排出処理手段Ｈ２、ドレンパージ処理手段Ｈ３、加熱部作動手段Ｈ４、循環ポンプ動作手段Ｈ５１、ドレンポンプ動作手段Ｈ５２、及び、給水処理手段Ｈ６を備えて構成されている。
【００４６】
図１、図２、及び、図６に示すように、上記湯張作動処理手段Ｈ０１，追焚作動処理手段Ｈ０２、凍結防止処理手段Ｈ１、ドレン排出処理手段Ｈ２、ドレンパージ処理手段Ｈ３は、加熱部作動手段Ｈ４、循環ポンプ動作手段Ｈ５１、ドレンポンプ動作手段Ｈ５２、給水処理手段Ｈ６に対して、その動作指令を出力するように構成されている。凍結防止処理手段Ｈ１は、ドレンパージ処理手段Ｈ３に対しても動作指令を出力するように構成されている。
【００４７】
加熱部作動手段Ｈ４は、加熱部Ｋによる加熱を行うか否かの動作指令を、循環ポンプ動作手段Ｈ５１は循環ポンプＰＪを作動させるか否かの動作指令を、ドレンポンプ動作手段Ｈ５２はドレンポンプＰＤを作動させるか否かの動作指令を、給水処理手段Ｈ６は、給水を行うか否かの動作指令を出力するように構成されている。
従って、湯張作動処理手段Ｈ０１、追焚作動処理手段Ｈ０２、凍結防止処理手段Ｈ１、ドレン排出処理手段Ｈ２、ドレンパージ処理手段Ｈ３は、加熱部作動手段Ｈ４、循環ポンプ動作手段Ｈ５１、ドレンポンプ動作手段Ｈ５２、給水処理手段Ｈ６を介して、流路切換ユニットＳ１、通流切換手段Ｓ２、給水電磁弁Ｓ３、加熱部Ｋ等を状態設定（制御）する。図３は、この浴室システムに適用した場合の各作動処理における状態設定を示している。
【００４８】
そして、制御装置Ｈには、前述のリモコンＲとの間で情報を通信する制御用通信線ＴＲ、循環ポンプＰＪの作動を制御するための情報を通信する制御用通信線ＴＪ、ドレンポンプＰＤの作動を制御するための情報を通信する制御用通信線ＴＤ、流路切換ユニットＳ１の作動を制御するための情報を通信する制御用通信線Ｔ１、通流切換手段Ｓ２の作動を制御するための情報を通信する制御用通信線Ｔ２、及び、給水電磁弁Ｓ３の作動を制御するための情報を通信する制御用通信線Ｔ３が接続されている。また、ドレンタンクＤ１には、貯留されるドレンの水位を検出するドレン水位検出手段ＱＷが備えられ、さらに、潜熱回収式熱源装置１の内部には、凍結予防用の温度検出手段ＱＦが備えられており、ドレン水位検出手段ＱＷ及び温度検出手段ＱＦの検出情報は、制御用通信線ＴＷ及びＴＦを介して制御装置Ｈに入力されるようになっている。
【００４９】
潜熱回収式熱源装置１は、浴槽戻管路１０が接続される浴槽戻側接続部１０ａと、浴槽往管路２０が接続される浴槽往側接続部２０ａと、浴槽戻側接続部１０ａと浴槽往側接続部２０ａとの間を接続する熱源装置内流路Ｊに循環ポンプＰＪを備え、ドレンポンプＰＤを備え、このドレンポンプＰＤより吐出されるドレンが導かれる排出管路接続部３０ａを備えて構成されている。
【００５０】
また、外部ユニットＵは、排出管路接続部３０ａと、浴槽往管路２０のドレンポンプ吐出側接続部２３の間を接続するドレン排出接続管路３２を形成可能に構成されている。
そして、外部ユニットＵに、浴槽往管路２０に於けるドレン排出接続管路３２の接続部位であるドレンポンプ吐出側接続部２３から浴槽往側接続部２０ａへの流体流れを抑止する浴槽往管路逆流抑止手段Ｓ４と、ドレンポンプ吐出側接続部２３から排出管路接続部３０ａへの流体流れを抑止するドレン配管逆流抑止手段Ｓ５とが備えられている。
さらに、外部ユニットＵには、浴槽戻管路１０に流体が通流する通流状態と流体が通流しない通流停止状態とに択一的に切換自在な通流切換手段Ｓ２が設けられている。
【００５１】
（使用の態様）
次に、本発明に係る浴室システムの使用の態様について図１〜５Ｃに基づいて説明する。
潜熱回収式熱源装置１は、湯張作動処理手段Ｈ０１，追焚作動処理手段Ｈ０２を備えることにより、湯張作動処理手段Ｈ０１，追焚作動処理手段Ｈ０２が、図３の表に「湯張作動処理」「追焚作動処理」として示す如く、湯張りや追焚きのための加熱作動としてバーナＢを燃焼させ、潜熱回収熱交換器Ｋ１及び顕熱熱交換器Ｋ２にて、熱源装置内循環路Ｊを通流する流体を加熱する。このとき、潜熱回収熱交換器Ｋ１において酸性のドレンが発生する。発生したドレンは、ドレン受けＤ３にて集められ、中和槽Ｄ２にて中和された後、ドレンタンクＤ１に貯留される。ここで、湯張りの場合は給水を伴うこととなり、追焚の場合は浴槽水の循環を伴うこととなる。
【００５２】
ドレンタンクＤ１には、前述のようにドレン水位検出手段ＱＷが設けられており、このドレン水位検出手段ＱＷにて所定の高水位、例えばドレンタンクの満杯が検出されると、図４の＃１に示すように、ドレンタンクＤ１内のドレンを外部に排出するドレン排出処理が実行されるようになっている。
ドレン排出処理においては、制御手段Ｈにおけるドレン排出処理手段Ｈ２が、図３の表に「ドレン排出処理」として示す如く、流路切換ユニットＳ１を第２状態とし、通流切換手段Ｓ２を通流停止状態とし、給水電磁弁Ｓ３を給水停止状態としてドレンポンプＰＤを働かせることになる。つまり、ドレンポンプＰＤの作動状態において、流路切換ユニットＳ１を第２状態に切換え、浴槽往管路２０の一部を通して排水箇所３５にドレンを排出するドレン排出処理が実行される。
つまり、ドレンタンクＤ１に貯留されたドレンは、図５Ａに示すように、ドレンポンプＰＤを経由し、ドレン排出接続管路３２からドレンポンプ吐出側接続部２３を経て浴槽往管路２０を通流し、流路切換ユニットＳ１を経由して、ドレン排出管３３から排水箇所３５に排出されることになる。
【００５３】
そして、ドレン排出処理が実行された後には、図４の＃２に示すように、ドレンポンプ吐出側接続部２３より流路切換ユニットＳ１に到る流路に、ドレンとは異なる流体をドレンパージ水として流すドレンパージ処理を実行可能に構成されている。
ドレンパージ処理は、図３の表に「ドレンパージ処理」として示す如く、ドレンパージ水として、外部より供給される給水を使用する給水パージ、又は、浴槽戻水を使用する浴槽水パージのいずれかの形態にて実行される。尚、図示はしていないが、潜熱回収式熱源装置１には水位検出部が備えられており、浴槽ＹＳ内の浴槽水の水位がドレンパージを実行するに十分であるときには浴槽水パージを実行し、浴槽水がドレンパージを実行するには不十分又は全く無い場合には給水パージを実行するように構成されている。
【００５４】
上記ドレンパージ処理の各形態での制御状態について図３に基づいて説明を加えると、給水パージの場合においては、制御手段Ｈにおけるドレンパージ処理手段Ｈ３が、流路切換ユニットＳ１を第２状態とし、通流切換手段Ｓ２を通流停止状態とし、循環ポンプＰＪを停止状態とし、そして、給水電磁弁Ｓ３を給水状態とすることになる。
また、浴槽水パージの場合においては、制御手段Ｈにおけるドレンパージ処理手段Ｈ３が、流路切換ユニットＳ１を第２状態とし、通流切換手段Ｓ２を通流状態とし、給水電磁弁Ｓ３を給水停止状態として、循環ポンプＰＪを働かせることになる。さらに、混合水パージの場合においては、制御手段Ｈにおけるドレンパージ処理手段Ｈ３が、流路切換ユニットＳ１を第２状態とし、通流切換手段Ｓ２を通流状態とし、給水電磁弁Ｓ３を給水状態として、循環ポンプＰＪを働かせることになる。
【００５５】
つまり、ドレンパージ処理における給水パージ時には、図５Ｂに示すように、外部より供給される給水を、循環ポンプＰＪを経由させ、浴槽往側接続部２０ａからドレンポンプ吐出側接続部２３を経て浴槽往管路２０を通流させ、流路切換ユニットＳ１を経由させて、ドレン排出管３３から排水箇所３５に排出することになり、浴槽水パージ時には、図５Ｃに示すように、浴槽戻水を、循環ポンプＰＪを経由させ、浴槽往側接続部２０ａからドレンポンプ吐出側接続部２３を経て浴槽往管路２０を通流させ、流路切換ユニットＳ１を経由させて、ドレン排出管３３から排水箇所３５に排出することになる。又、図示しないが、混合水パージ時には、外部より供給される給水と浴槽戻水とを混合した混合水を、循環ポンプＰＪを経由させ、浴槽往側接続部２０ａからドレンポンプ吐出側接続部２３を経て浴槽往管路２０を通流させ、流路切換ユニットＳ１を経由させて、ドレン排出管３３から排水箇所３５に排出することになる。
【００５６】
そして、ドレン排出処理の実行時においては、外部ユニットＵに備えられるドレン配管逆流抑止手段Ｓ５において排出管路接続部３０ａからドレンポンプ吐出側接続部２３への流体流れを許容するとともに浴槽往管路逆流抑止手段Ｓ４によってドレンポンプ吐出側接続部２３から浴槽往側接続部２０ａへの流体流れを抑止することになる。つまり、ドレンが風呂追焚系統としての熱源装置内循環路Ｊに流入することを防止することができる。
【００５７】
又、ドレンパージ処理及び湯張り又は追焚の実行時においては、外部ユニットＵに備えられる浴槽往管路逆流抑止手段Ｓ４において浴槽往側接続部２０ａからドレンポンプ吐出側接続部２３への流体流れを許容するとともにドレン配管逆流抑止手段Ｓ５によってドレンポンプ吐出側接続部２３から排出管路接続部３０ａへの流体流れを抑止することになる。つまり、ドレンパージ処理及び湯張り又は追焚によって供給される湯水がドレンタンクＤ１側に逆流することを防止することができる。
【００５８】
さらに、外部ユニットＵには、浴槽戻管路１０に流体が通流する通流状態と流体が通流しない通流停止状態とに択一的に切換自在な通流切換手段Ｓ２が設けられているから、ドレンパージ処理を実行する場合において、流体が浴槽往管路１０を通流して浴槽ＹＳに流入しないようにすることが可能となる。
【００５９】
また、上述の外部ユニットＵ及び通流切換手段Ｓ２を潜熱回収式熱源装置１の外部に備えることによって、本来浴槽戻管路１０と浴槽往管路２０の他にドレン排出用の管路を備える必要がある潜熱回収式熱源装置１を、浴槽戻管路１０と浴槽往管路２０以外の配管を設置することができない既築の家屋においても適用することができるものとなる。
【００６０】
すなわち、既築の家屋であって熱源装置と浴槽ＹＳとの間に浴槽戻管路１０と浴槽往管路２０との２本しか配管を備えず、配管スペースにドレン配管３０を配設する余裕がない場合においても、新築家屋の場合と共用する潜熱回収式熱源装置１に対して外部ユニットＵと流路切換ユニットＳ１とを装備する本願のシステムを採用することによって、潜熱回収式熱源装置１を新築の家屋の場合と共用することが可能となる。そして、ドレン排出処理及びドレンパージ処理を、既に家屋に装備されている浴槽戻管路１０及び浴槽往管路２０の２本の管路を利用して適切に実行できるものとなる。
【００６１】
つまり、新築の家屋においては、図１及び従来技術である図７において一点鎖線で囲って示す部分に相当する機器及び設備を新たに設置することとなるが、既築の家屋の場合、図６及び図７において二点鎖線で囲っていない部分、実際には、浴槽戻管路１０及び浴槽往管路２０における外部ユニットＵと流路切換ユニットＳ１との間に相当する部分については、既存の浴槽戻管路１０の一部、及び、既存の浴槽往管路２０の一部をそのまま使用し、有効に利用することができるものとなる。
【００６２】
〔別実施形態〕
次に本発明の別実施形態を説明する。
（イ）上記実施形態においては、ドレンパージ処理において、必要に応じて加熱部Ｋを作動させて、加熱部Ｋによりドレンパージ水を加熱し、加熱されたドレン又はドレンパージ水を浴槽往側接続部２０ａから排出可能な構成を例示したが、このような構成に代えて、加熱部Ｋを働かせることなく、流水状態でのみ、凍結に対処するようにしてもよい。
【００６３】
（ロ）上記実施形態においては、凍結予防用の温度検出手段ＱＦを備え、温度検出手段ＱＦにより検出される温度が所定の凍結警戒温度より低い場合に、ドレンパージ処理を実行するように構成したが、このような構成に代えて、またはこのような構成に加えて、凍結警戒温度より低くなる虞のある時期においては所定の時間間隔毎にドレンパージ処理を実行するように構成してもよい。
【００６４】
（ハ）上記実施形態においては、外部ユニットＵに、浴槽戻管路１０に流体が通流する通流状態と流体が通流しない通流停止状態とに択一的に切換自在な通流切換手段Ｓ２を設けるように構成した。これは、湯張作動処理の実行時において、浴槽戻管路１０及び浴槽往管路２０の双方を使用して加熱した浴槽ＹＳへの湯水の落としこみを行うためであるが、このような構成に代えて、湯張作動処理の実行時の浴槽ＹＳへの湯水の落としこみを浴槽往管路２０のみを用いて行うものとし、通流切換手段Ｓ２に代えて浴槽ＹＳ側から浴槽戻側接続部１０ａ側への通流のみを許容する逆止弁を設ける構成としてもよい。
【００６５】
（ニ）上記実施形態においては、外部ユニットＵに、ドレンポンプ吐出側接続部２３から浴槽往側接続部２０ａへの流体流れを抑止する浴槽往管路逆流抑止手段Ｓ４と、ドレンポンプ吐出側接続部２３から前記排出管路接続部３０ａへの流体流れを抑止するドレン配管逆流抑止手段Ｓ５とを備えるように構成したが、それらを逆止弁に代えて切換弁とすることも可能である。
【００６６】
（ホ）上記実施形態においては、給水パージの実行時に循環ポンプＰＪを停止状態とする構成を例示したが、給水パージの実行時にも循環ポンプＰＪを作動させるように構成してもよい。すなわち、給水パージの実行時に循環ポンプＰＪを停止状態とした場合、インペラ等を備えて内部の構造が複雑な循環ポンプＰＪにおいては、給水が通流抵抗の低い部分を短絡して通流してしまい、循環ポンプＰＪ内部における給水が通流しない状態となる部分にドレンが残留することがある。そこで、循環ポンプＰＪ内部にドレンが残留する状態を回避するため、給水パージの実行時にも循環ポンプＰＪを作動させれば、循環ポンプＰＪ内に通流する流体を攪拌することとなり、循環ポンプＰＪ内部を良好に洗浄できるものとなる。
【産業上の利用可能性】
【００６７】
本発明によれば、設置箇所が既築の家屋である場合等、既に設置されている２本の配管の他に配管を増設できない場合であっても、新築の家屋を対象とする熱源装置の共用化を可能とすることによって機器の製造コストの低減を図ることができるものとすることができるものとなる。
【符号の説明】
【００６８】
１        潜熱回収式熱源装置
１０      浴槽戻管路
２０      浴槽往管路
２３      ドレンポンプ吐出側接続部
３２      ドレン排出管路
３３      ドレン排出管
３５      排水箇所
Ｋ        加熱部
Ｋ１      潜熱回収熱交換器
Ｄ１      ドレンタンク
ＰＪ      循環ポンプ
ＰＤ      ドレンポンプ
Ｊ        熱源装置内循環路
Ｓ１      流路切換ユニット
Ｓ２      通流切換手段
Ｓ３      給水電磁弁
Ｓ４      浴槽往管路逆流抑止手段
Ｓ５      ドレン配管逆流抑止手段
Ｈ        制御装置
Ｙ        浴室
ＹＳ      浴槽
ＱＦ      温度検出手段
ＱＷ      ドレン水位検出手段
Ｔ１〜Ｔ３、ＴＲ、ＴＦ，ＴＱ    制御用通信線
【図１】
0005525415.tif 000002
【図２】
0005525415.tif 000003
【図３】
0005525415.tif 000004
【図４】
0005525415.tif 000005
【図５Ａ】
0005525415.tif 000006
【図５Ｂ】
0005525415.tif 000007
【図５Ｃ】
0005525415.tif 000008
【図６】
0005525415.tif 000009
【図７】
0005525415.tif 000010
【図８】
0005525415.tif 000011
【図９】
0005525415.tif 000012